(57)【特許請求の範囲】
【請求項１】
負荷に定電流を供給する定電流電源装置であって、
前記負荷に流れた電流が入力端子に入力されるスイッチ素子と、
前記スイッチ素子に流れる電流と、前記定電流電源装置の入力端子に入力される入力電圧と、に応じて前記スイッチ素子のオンオフを制御する制御手段と、を備え、
前記制御手段は、
前記スイッチ素子に流れる電流を電圧変換する電流電圧変換手段と、
前記定電流電源装置の入力端子と、前記定電流電源装置の基準電位点と、の間に直列接続された第１抵抗および第２抵抗と、
前記電流電圧変換手段により変換された電圧と、前記第１抵抗と前記第２抵抗との接続点の電圧と、を比較して、比較結果に応じて前記スイッチ素子のオンオフを制御するスイッチ素子制御手段と、を備え、
前記スイッチ素子制御手段は、
前記電流電圧変換手段により変換された電圧が、前記第１抵抗と前記第２抵抗との接続点の電圧以上になると、前記スイッチ素子をオフ状態にし、
前記電流電圧変換手段により変換された電圧が、前記第１抵抗と前記第２抵抗との接続点の電圧未満になると、予め定められたタイミングで前記スイッチ素子をオン状態にすることを特徴とする定電流電源装置。
【発明の詳細な説明】
【技術分野】
【０００１】
本発明は、定電流電源装置に関する。
【背景技術】
【０００２】
従来より、定電流を出力する電源として、定電流電源装置がある。この定電流電源装置は、例えば、発光ダイオードを点灯させるために用いられる（例えば、特許文献１参照）。
【０００３】
［定電流電源装置１００の構成］
図４は、従来例に係る定電流電源装置１００の回路図である。定電流電源装置１００は、交流電源Ｖｉｎから入力される交流電力を用いて、直列接続された複数の発光ダイオードＬＥＤ１〜ＬＥＤｎ（ｎは、ｎ≧３を満たす整数）に定電流を供給する。この定電流電源装置１００は、整流部ＲＦと、ダイオードＤ１と、キャパシタＣ１と、インダクタＬと、ＮチャネルＭＯＳＦＥＴで構成されるスイッチ素子Ｑ１と、抵抗Ｒ１と、比較器ＣＭＰと、直流電源Ｖｒｅｆと、クロック生成部ＣＬＫと、フリップフロップＦＦと、を備える。
【０００４】
整流部ＲＦの２つの入力端子には、交流電源Ｖｉｎの両端が接続される。整流部ＲＦの第１の出力端子には、ダイオードＤ１のカソードと、キャパシタＣ１の一方の電極と、発光ダイオードＬＥＤ１のアノードと、が接続される。発光ダイオードＬＥＤｎのカソードには、キャパシタＣ１の他方の電極と、インダクタＬの一端と、が接続される。インダクタＬの他端には、ダイオードＤ１のアノードと、スイッチ素子Ｑ１のドレインと、が接続される。
【０００５】
スイッチ素子Ｑ１のソースには、抵抗Ｒ１を介して、定電流電源装置１００の基準電位点に相当する整流部ＲＦの第２の出力端子が接続されるとともに、比較器ＣＭＰの非反転入力端子が接続される。比較器ＣＭＰの反転入力端子には、直流電源Ｖｒｅｆの正極が接続され、直流電源Ｖｒｅｆの負極は、接地されている。
【０００６】
比較器ＣＭＰの出力端子には、フリップフロップＦＦのリセット端子が接続される。フリップフロップＦＦのセット端子には、クロック生成部ＣＬＫが接続され、フリップフロップＦＦの出力端子には、スイッチ素子Ｑ１のゲートが接続される。
【０００７】
［定電流電源装置１００の動作］
以上の構成を備える定電流電源装置１００は、スイッチ素子Ｑ１のドレイン電流に応じてスイッチ素子Ｑ１を制御することで、定電流制御を行う。
【０００８】
具体的には、スイッチ素子Ｑ１がオン状態になると、交流電源Ｖｉｎから供給された交流電力を整流部ＲＦにより整流して、第２の出力端子を基準とした直流電力を第１の出力端子から出力する。整流部ＲＦの第１の出力端子から出力される直流電流は、発光ダイオードＬＥＤ１〜ＬＥＤｎと、インダクタＬの一端から他端と、スイッチ素子Ｑ１と、抵抗Ｒ１と、を介して、整流部ＲＦの第２の出力端子に流れる。これによれば、発光ダイオードＬＥＤ１〜ＬＥＤｎに電流が流れるので、これら発光ダイオードＬＥＤ１〜ＬＥＤｎが点灯する。また、インダクタＬの一端から他端に電流が流れることで、インダクタＬにエネルギーが蓄えられることとなる。
【０００９】
上述のスイッチ素子Ｑ１に流れる電流、すなわちスイッチ素子Ｑ１のドレイン電流は、抵抗Ｒ１に流れることで電圧変換され、比較器ＣＭＰの非反転入力端子に入力される。ここで、スイッチ素子Ｑ１がオン状態である期間では、インダクタＬの一端から他端に流れる電流は、時間が経過するに従って増加する。また、スイッチ素子Ｑ１がオン状態である期間では、スイッチ素子Ｑ１のドレイン電流は、インダクタＬの一端から他端に流れる電流に等しい。そして、比較器ＣＭＰの非反転入力端子に入力される電圧は、スイッチ素子Ｑ１のドレイン電流が増加するに従って高くなる。以上より、スイッチ素子Ｑ１がオン状態である期間では、比較器ＣＭＰの非反転入力端子に入力される電圧は、時間が経過するに従って高くなる。
【００１０】
比較器ＣＭＰの非反転入力端子に入力される電圧が、直流電源Ｖｒｅｆの正極から出力される電圧以上になると、比較器ＣＭＰは、Ｈレベル電圧を出力する。一方、比較器ＣＭＰの非反転入力端子に入力される電圧が、直流電源Ｖｒｅｆの正極から出力される電圧未満になると、比較器ＣＭＰは、Ｌレベル電圧を出力する。
【００１１】
このため、比較器ＣＭＰの非反転入力端子に入力される電圧が、時間が経過するに従って上昇し、直流電源Ｖｒｅｆの正極から出力される電圧に等しくなると、比較器ＣＭＰが、Ｈレベル電圧を出力する。すると、Ｈレベル電圧が入力されるフリップフロップＦＦが、Ｌレベルのゲート信号を出力し、Ｌレベルのゲート信号が入力されるスイッチ素子Ｑ１が、オフ状態になる。
【００１２】
スイッチ素子Ｑ１がオフ状態になると、スイッチ素子Ｑ１がオン状態である期間にインダクタＬに蓄えられたエネルギーにより、インダクタＬの一端から他端、ダイオードＤ１、発光ダイオードＬＥＤ１〜ＬＥＤｎの順に電流が流れ、発光ダイオードＬＥＤ１〜ＬＥＤｎが点灯する。スイッチ素子Ｑ１がオン状態である期間にインダクタＬに蓄えられたエネルギーは、上述の順に電流が流れるに従って減少し、上述の順に流れる電流は、スイッチ素子Ｑ１がオン状態である期間にインダクタＬに蓄えられたエネルギーが減少するに従って減少する。このため、スイッチ素子Ｑ１がオフ状態になると、時間が経過するに従って、インダクタＬの一端から他端に流れる電流が減少する。
【００１３】
また、スイッチ素子Ｑ１がオフ状態になると、スイッチ素子Ｑ１のドレイン電流が「０」になるので、比較器ＣＭＰの非反転入力端子には、「０」が入力される。このため、比較器ＣＭＰの非反転入力端子に入力される電圧が、直流電源Ｖｒｅｆの正極から出力される電圧未満となるので、比較器ＣＭＰが、Ｌレベル電圧を出力する。すると、Ｌレベル電圧が入力されるフリップフロップＦＦが、クロック生成部ＣＬＫから出力される周期的な信号であるクロック信号の立上がりにおいて、Ｈレベルのゲート信号を出力し、Ｈレベルのゲート信号が入力されるスイッチ素子Ｑ１が、オン状態になる。
【００１４】
なお、発光ダイオードＬＥＤ１〜ＬＥＤｎに流れる電流は、キャパシタＣ１により平滑化される。
【先行技術文献】
【特許文献】
【００１５】
【特許文献１】特開２００５−１１６５７２号公報
【発明の概要】
【発明が解決しようとする課題】
【００１６】
定電流電源装置１００は、上述のように、直流電源Ｖｒｅｆの正極の電圧、すなわち予め定められた一定の電圧と、スイッチ素子Ｑ１のドレイン電流を電圧変換したものと、を比較して、比較結果に応じてスイッチ素子Ｑ１を制御する。このため、図５、６に示すように、スイッチ素子Ｑ１のドレイン電流を電圧変換したものが入力される比較器ＣＭＰの非反転入力端子の電圧（図５、６のＶＰＯＳＣＭＰを参照）のピーク値は、一定の電圧が入力される比較器ＣＭＰの反転入力端子の電圧（図５、６のＶＮＥＧＣＭＰを参照）に等しい一定の値となる。
【００１７】
図５は、定電流電源装置１００のタイミングチャートである。ＶＯＵＴＲＦは、整流部ＲＦの第１の出力端子から出力される電圧を示し、ＩＯＵＴＲＦは、整流部ＲＦの第１の出力端子から出力される電流を示す。ＶＰＯＳＣＭＰは、比較器ＣＭＰの非反転入力端子の電圧を示し、ＶＮＥＧＣＭＰは、比較器ＣＭＰの反転入力端子の電圧を示す。ＩＬＥＤは、発光ダイオードＬＥＤ１〜ＬＥＤｎのそれぞれに流れる電流を示す。
【００１８】
また、図６は、比較器ＣＭＰの非反転入力端子の電圧ＶＰＯＳＣＭＰと、比較器ＣＭＰの反転入力端子の電圧ＶＮＥＧＣＭＰと、の関係を示す図５の部分拡大図である。
【００１９】
上述のように、比較器ＣＭＰの非反転入力端子の電圧ＶＰＯＳＣＭＰのピーク値は、比較器ＣＭＰの反転入力端子の電圧ＶＮＥＧＣＭＰに等しい一定の値となる。そこで、定電流電源装置１００は、定電流を供給し続けるために、整流部ＲＦの第１の出力端子から出力される電圧ＶＯＵＴＲＦが高くなるに従って、スイッチ素子Ｑ１のオン幅を狭くして、スイッチ素子Ｑ１のデューティ比を小さくする。このため、図５に示すように、整流部ＲＦの第１の出力端子から出力される電圧ＶＯＵＴＲＦが高くなるに従って、整流部ＲＦの第１の出力端子から出力される電流ＩＯＵＴＲＦが減少してしまい、力率が悪くなる場合があった。
【００２０】
上述の課題を鑑み、本発明は、定電流電源装置の力率を向上させることを目的とする。
【課題を解決するための手段】
【００２１】
本発明は、上述の課題を解決するために、以下の事項を提案している。
（１）本発明は、負荷に定電流を供給する定電流電源装置であって、前記負荷に流れた電流が入力端子に入力されるスイッチ素子と、前記スイッチ素子に流れる電流と、前記定電流電源装置の入力端子に入力される入力電圧と、に応じて前記スイッチ素子を制御する制御手段と、を備えることを特徴とする定電流電源装置を提案している。
【００２２】
この発明によれば、負荷に定電流を供給する定電流電源装置に、負荷に流れた電流が入力端子に入力されるスイッチ素子と、制御手段と、を設けた。そして、制御手段により、スイッチ素子に流れる電流と、定電流電源装置の入力端子に入力される入力電圧と、に応じて、スイッチ素子を制御することとした。
【００２３】
このため、スイッチ素子のオンオフを制御手段により制御して、定電流電源装置の入力端子に入力される入力電圧が高くなるに従って、スイッチ素子に流れる電流を増加させることができる。そして、スイッチ素子に流れる電流は、負荷に流れた電流に等しく、定電流電源装置の入力端子に入力される入力電流からなる。以上より、定電流電源装置の入力端子に入力される入力電圧が高くなるに従って、定電流電源装置の入力端子に入力される入力電流を増加させることができる。したがって、定電流電源装置の力率を向上させることができる。
【００２４】
（２）本発明は、（１）の定電流電源装置について、前記制御手段は、前記スイッチ素子に流れる電流を電圧変換する電流電圧変換手段と、前記定電流電源装置の入力端子と、前記定電流電源装置の基準電位点と、の間に直列接続された第１抵抗および第２抵抗と、前記電流電圧変換手段により変換された電圧と、前記第１抵抗と前記第２抵抗との接続点の電圧と、を比較して、比較結果に応じて前記スイッチ素子を制御するスイッチ素子制御手段と、を備えることを特徴とする定電流電源装置を提案している。
【００２５】
この発明によれば、制御手段に、電流電圧変換手段、第１抵抗、第２抵抗、およびスイッチ素子制御手段を設けた。そして、電流電圧変換手段により、スイッチ素子に流れる電流を電圧変換することとした。また、第１抵抗および第２抵抗を直列接続し、定電流電源装置の入力端子と、定電流電源装置の基準電位点と、の間に設けた。また、スイッチ素子制御手段により、電流電圧変換手段により変換された電圧と、第１抵抗と第２抵抗との接続点の電圧と、を比較して、比較結果に応じて、スイッチ素子を制御することとした。
【００２６】
このため、スイッチ素子のオンオフをスイッチ素子制御手段により制御して、第１抵抗と第２抵抗との接続点の電圧が高くなるに従って、電流電圧変換手段により変換された電圧、すなわちスイッチ素子に流れる電流を電圧変換したものを高くすることができる。ここで、第１抵抗と第２抵抗との接続点の電圧は、定電流電源装置の入力端子に入力される入力電圧と同様に変化し、スイッチ素子に流れる電流は、スイッチ素子に流れる電流を電圧変換したものと同様に変化する。以上より、定電流電源装置の入力端子に入力される入力電圧が高くなるに従って、定電流電源装置の入力端子に入力される入力電流を増加させることができる。したがって、上述と同様の効果を奏することができる。
【００２７】
（３）本発明は、（２）の定電流電源装置について、前記スイッチ素子制御手段は、前記電流電圧変換手段により変換された電圧が、前記第１抵抗と前記第２抵抗との接続点の電圧以上になると、前記スイッチ素子をオフ状態にし、前記スイッチ素子をオフ状態にしてから予め定められた時間が経過すると、前記スイッチ素子をオン状態にすることを特徴とする定電流電源装置を提案している。
【００２８】
この発明によれば、スイッチ素子制御手段により、電流電圧変換手段により変換された電圧が、第１抵抗と第２抵抗との接続点の電圧以上になると、スイッチ素子をオフ状態にし、スイッチ素子をオフ状態にしてから予め定められた時間が経過すると、スイッチ素子をオン状態にすることとした。このため、スイッチ素子をオンオフさせて、上述と同様の効果を奏することができる。
【発明の効果】
【００２９】
本発明によれば、定電流電源装置の力率を向上させることができる。
【図面の簡単な説明】
【００３０】
【図１】本発明の一実施形態に係る定電流電源装置の回路図である。
【図２】前記定電流電源装置のタイミングチャートである。
【図３】前記タイミングチャートの部分拡大図である。
【図４】従来例に係る定電流電源装置の回路図である。
【図５】前記定電流電源装置のタイミングチャートである。
【図６】前記タイミングチャートの部分拡大図である。
【発明を実施するための形態】
【００３１】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００３２】
［定電流電源装置１の構成］
図１は、本発明の一実施形態に係る定電流電源装置１の回路図である。定電流電源装置１は、図４に示した従来例に係る定電流電源装置１００とは、比較器ＣＭＰの非反転入力端子および反転入力端子の接続と、定電流電源装置１００に設けられていた直流電源Ｖｒｅｆを備えていない点と、定電流電源装置１００には設けられていなかった抵抗Ｒ２、Ｒ３を備える点と、が異なる。なお、定電流電源装置１において、定電流電源装置１００と同一構成要件については、同一符号を付し、その説明を省略する。
【００３３】
抵抗Ｒ２および抵抗Ｒ３は、直列接続されており、抵抗Ｒ２の一端には、整流部ＲＦの第１の出力端子が接続され、抵抗Ｒ３の他端には、定電流電源装置１の基準電位点に相当する整流部ＲＦの第２の出力端子が接続される。比較器ＣＭＰの反転入力端子には、抵抗Ｒ２の他端と、抵抗Ｒ３の一端と、の接続点が接続される。比較器ＣＭＰの非反転入力端子には、スイッチ素子Ｑ１のソースと抵抗Ｒ１との接続点が接続される。
【００３４】
［定電流電源装置１の動作］
以上の構成を備える定電流電源装置１は、スイッチ素子Ｑ１のドレイン電流と、整流部ＲＦの第１の出力端子から出力される電圧と、に応じてスイッチ素子Ｑ１を制御することで、定電流制御を行う。
【００３５】
具体的には、スイッチ素子Ｑ１のドレイン電流は、抵抗Ｒ１に流れることで電圧変換され、比較器ＣＭＰの非反転入力端子に入力される。また、整流部ＲＦの第１の出力端子から出力される電圧は、抵抗Ｒ２と抵抗Ｒ３とで分圧され、比較器ＣＭＰの反転入力端子に入力される。
【００３６】
そして、スイッチ素子Ｑ１のドレイン電流を電圧変換したものが、整流部ＲＦの第１の出力端子から出力される電圧を抵抗Ｒ２と抵抗Ｒ３とで分圧したもの（以降、「分圧入力電圧」と呼ぶ）以上になると、比較器ＣＭＰがＨレベル電圧を出力し、フリップフロップＦＦがＬレベルのゲート信号を出力し、スイッチ素子Ｑ１がオフ状態になる。一方、スイッチ素子Ｑ１のドレイン電流を電圧変換したものが、分圧入力電圧未満になると、比較器ＣＭＰがＬレベル電圧を出力し、クロック生成部ＣＬＫから出力されるクロック信号の立上がりにおいて、フリップフロップＦＦがＨレベルのゲート信号を出力し、スイッチ素子Ｑ１がオン状態になる。
【００３７】
以上によれば、定電流電源装置１は、上述のように、スイッチ素子Ｑ１のドレイン電流を電圧変換したものと、分圧入力電圧と、を比較して、比較結果に応じてスイッチ素子を制御する。ここで、分圧入力電圧は、整流部ＲＦの第１の出力端子から出力される電圧を抵抗Ｒ２と抵抗Ｒ３とで分圧したものであるため、整流部ＲＦの第１の出力端子から出力される電圧と同様に変化する。具体的には、整流部ＲＦの第１の出力端子から出力される電圧が正弦波状に変化すれば、分圧入力電圧も正弦波状に変化する。このため、図２に示すように、スイッチ素子Ｑ１のドレイン電流を電圧変換したものが入力される比較器ＣＭＰの非反転入力端子の電圧（図２、３のＶＰＯＳＣＭＰを参照）のピーク値は、整流部ＲＦの第１の出力端子から出力される電圧と同様に変化する電圧が入力される比較器ＣＭＰの反転入力端子の電圧（図２、３のＶＮＥＧＣＭＰを参照）に等しい値となる。
【００３８】
図２は、定電流電源装置１のタイミングチャートであり、図３は、比較器ＣＭＰの非反転入力端子の電圧ＶＰＯＳＣＭＰと、比較器ＣＭＰの反転入力端子の電圧ＶＮＥＧＣＭＰと、の関係を示す図２の部分拡大図である。
【００３９】
上述のように、比較器ＣＭＰの非反転入力端子の電圧ＶＰＯＳＣＭＰのピーク値は、比較器ＣＭＰの反転入力端子の電圧ＶＮＥＧＣＭＰに等しい。また、比較器ＣＭＰの反転入力端子の電圧ＶＮＥＧＣＭＰは、整流部ＲＦの第１の出力端子から出力される電圧を抵抗Ｒ２と抵抗Ｒ３とで分圧したものに等しく、上述のように整流部ＲＦの第１の出力端子から出力される電圧ＶＯＵＴＲＦと同様に変化する。このため、比較器ＣＭＰの非反転入力端子の電圧ＶＰＯＳＣＭＰのピーク値は、整流部ＲＦの第１の出力端子から出力される電圧ＶＯＵＴＲＦと同様に変化することとなる。
【００４０】
以上の定電流電源装置１によれば、以下の効果を奏することができる。
【００４１】
定電流電源装置１は、整流部ＲＦの第１の出力端子から出力される電圧を抵抗Ｒ２と抵抗Ｒ３とで分圧したものと、スイッチ素子Ｑ１のドレイン電流を電圧変換したものと、を比較して、比較結果に応じてスイッチ素子を制御する。このため、スイッチ素子Ｑ１のドレイン電流を電圧変換したものが入力される、比較器ＣＭＰの非反転入力端子の電圧ＶＰＯＳＣＭＰのピーク値は、整流部ＲＦの第１の出力端子から出力される電圧ＶＯＵＴＲＦと同様に変化する。ここで、スイッチ素子Ｑ１のドレイン電流は、整流部ＲＦの第１の出力端子から出力される電流に略等しいため、整流部ＲＦの第１の出力端子から出力される電流は、整流部ＲＦの第１の出力端子から出力される電圧ＶＯＵＴＲＦと同様に変化することとなる。したがって、定電流電源装置１の力率を、定電流電源装置１００といった従来の定電流電源装置の力率と比べて、向上させることができる。
【００４２】
また、抵抗Ｒ２と抵抗Ｒ３との抵抗比を調節することで、比較器ＣＭＰがＬレベル電圧を出力するタイミングを調整することができ、スイッチ素子Ｑ１のオン幅を調整することができる。
【００４３】
本発明は、上述の実施形態に限定されるものではなく、この発明の要旨を逸脱しない範囲内で様々な変形や応用が可能である。
【符号の説明】
【００４４】
１、１００；定電流電源装置
Ｃ１；キャパシタ
ＣＬＫ；クロック生成部
ＣＭＰ；比較器
Ｄ１；ダイオード
ＦＦ；フリップフロップ
Ｌ；インダクタ
ＬＥＤ１〜ＬＥＤｎ；発光ダイオード
Ｑ１；スイッチ素子
Ｒ１〜Ｒ３；抵抗
ＲＦ；整流部
【図１】
0005558086.tif 000002
【図２】
0005558086.tif 000003
【図３】
0005558086.tif 000004
【図４】
0005558086.tif 000005
【図５】
0005558086.tif 000006
【図６】
0005558086.tif 000007